【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
フレーム内符号化ピクチャ、順方向予測符号化ピクチャ及び両方向予測符号化ピクチャからなる映像信号を記録媒体へ記録する画像記録装置であって、
記録開始を指示する指示手段と、
前記記録開始の指示を受けると、特定フレームを圧縮符号化ストリームの表示順の先頭フレームとして前記映像信号を記録媒体へ記録する記録手段とを有し、
前記特定フレームは、フィールドパリティ及び冗長フィールドの有無を基に決定されることを特徴とする画像記録装置。
【請求項２】
フレーム内符号化ピクチャ、順方向予測符号化ピクチャ及び両方向予測符号化ピクチャからなる映像信号を記録媒体へ記録する画像記録装置であって、
記録終了を指示する指示手段と、
前記映像信号を記録媒体に記録すると共に、前記記録終了の指示を受けると、特定フレームを圧縮符号化ストリームの表示順の最終フレームとして前記映像信号の記録を終了する記録手段とを有し、
前記特定フレームは、フィールドパリティ及び冗長フィールドの有無を基に決定されることを特徴とする画像記録装置。
【請求項３】
フレーム内符号化、順方向予測符号化、及び両方予測符号化によって符号化されたフレームからなる映像信号であって、３０フレーム／秒のインターレース形式の第１の映像信号、３０フレーム／秒のプログレッシブ形式の第２の映像信号、及び、２４フレーム／秒のプログレッシブ形式の映像信号を２−３プルダウン処理した第３の映像信号の何れかを入力する手段と、
前記入力された第１、第２、第３の映像信号の各フレームが、トップフィールドを先に表示するトップフィールドファーストのフレームであるか否かを検出すると共に、前記入力された第３の映像信号の各フレームが冗長フィールドありのフレームであるか否かを検出する冗長フィールド検出手段と、
記録開始の指示を受けると、前記冗長フィールド検出手段の出力に基づいて決定した特定フレームを表示順の先頭フレームとして前記入力された映像信号を記録媒体に記録する記録手段とを有し、
前記記録手段は、前記第１の映像信号または第２の映像信号を記録する場合にはトップフィールドファーストのフレームを前記特定フレームとし、前記第３の映像信号を記録する場合にはトップフィールドファーストであり、且つ冗長フィールドありのフレームを前記特定フレームとすることを特徴とする画像記録装置。
【請求項４】
フレーム内符号化、順方向予測符号化、及び両方予測符号化によって符号化されたフレームからなる映像信号であって、３０フレーム／秒のインターレース形式の第１の映像信号、３０フレーム／秒のプログレッシブ形式の第２の映像信号、及び、２４フレーム／秒のプログレッシブ形式の映像信号を２−３プルダウン処理した第３の映像信号の何れかを入力する手段と、
前記入力された第１、第２、第３の映像信号の各フレームが、トップフィールドを先に表示するトップフィールドファーストのフレームであるか否かを検出すると共に、前記入力された第３の映像信号の各フレームが冗長フィールドありのフレームであるか否かを検出する冗長フィールド検出手段と、
前記入力された映像信号を記録媒体に記録すると共に、記録停止の指示を受けると、前記冗長フィールド検出手段の出力に基づいて決定した特定フレームを表示順の最終フレームとして前記映像信号の記録を終了する記録手段とを有し、
前記記録手段は、前記第１の映像信号または第２の映像信号を記録する場合にはトップフィールドファーストのフレームを前記特定フレームとし、前記第３の映像信号を記録する場合にはトップフィールドファーストであり、且つ冗長フィールド無しのフレームを前記特定フレームとすることを特徴とする画像記録装置。
【請求項５】
フレーム内符号化、順方向予測符号化、及び両方予測符号化によって符号化されたフレームからなる映像信号であって、３０フレーム／秒のインターレース形式の第１の映像信号、３０フレーム／秒のプログレッシブ形式の第２の映像信号、及び、２４フレーム／秒のプログレッシブ形式の映像信号を２−３プルダウン処理した第３の映像信号の何れかを入力する手段と、
前記入力された第１、第２、第３の映像信号の各フレームが、トップフィールドを先に表示するトップフィールドファーストのフレームであるか否かを検出すると共に、前記入力された第３の映像信号の各フレームが冗長フィールドありのフレームであるか否かを検出する冗長フィールド検出手段と、
記録開始の指示を受けると、前記冗長フィールド検出手段の出力に基づいて決定した特定フレームを表示順の先頭フレームとして前記入力された映像信号を記録媒体に記録する記録手段とを有し、
前記記録手段は、前記第１の映像信号または第２の映像信号を記録する場合にはトップフィールドファーストでないフレームを前記特定フレームとし、前記第３の映像信号を記録する場合にはトップフィールドファーストでなく、且つ冗長フィールドありのフレームを前記特定フレームとすることを特徴とする画像記録装置。
【請求項６】
フレーム内符号化、順方向予測符号化、及び両方予測符号化によって符号化されたフレームからなる映像信号であって、３０フレーム／秒のインターレース形式の第１の映像信号、３０フレーム／秒のプログレッシブ形式の第２の映像信号、及び、２４フレーム／秒のプログレッシブ形式の映像信号を２−３プルダウン処理した第３の映像信号の何れかを入力する手段と、
前記入力された第１、第２、第３の映像信号の各フレームが、トップフィールドを先に表示するトップフィールドファーストのフレームであるか否かを検出すると共に、前記入力された第３の映像信号の各フレームが冗長フィールドありのフレームであるか否かを検出する冗長フィールド検出手段と、
前記入力された映像信号を記録媒体に記録すると共に、記録停止の指示を受けると、前記冗長フィールド検出手段の出力に基づいて決定した特定フレームを表示順の最終フレームとして前記映像信号の記録を終了する記録手段とを有し、
前記記録手段は、前記第１の映像信号または第２の映像信号を記録する場合にはトップフィールドファーストでないフレームを前記特定フレームとし、前記第３の映像信号を記録する場合にはトップフィールドファーストでなく、且つ冗長フィールド無しのフレームを前記特定フレームとすることを特徴とする画像記録装置。
【手続補正２】
【補正対象書類名】明細書
【補正対象項目名】発明の名称
【補正方法】変更
【補正の内容】
【発明の名称】画像記録装置
【手続補正３】
【補正対象書類名】明細書
【補正対象項目名】０００１
【補正方法】変更
【補正の内容】
【０００１】
本発明は、画像記録装置に関する。
【手続補正４】
【補正対象書類名】明細書
【補正対象項目名】００１２
【補正方法】変更
【補正の内容】
【００１２】
本発明の画像記録装置は、フレーム内符号化ピクチャ、順方向予測符号化ピクチャ及び両方向予測符号化ピクチャからなる映像信号を記録媒体へ記録する画像記録装置であって、記録開始を指示する指示手段と、前記記録開始の指示を受けると、特定フレームを圧縮符号化ストリームの表示順の先頭フレームとして前記映像信号を記録媒体へ記録する記録手段とを有し、前記特定フレームは、フィールドパリティ及び冗長フィールドの有無を基に決定されることを特徴とする。
【手続補正５】
【補正対象書類名】明細書
【補正対象項目名】００１３
【補正方法】変更
【補正の内容】
【００１３】
また、本発明の画像記録装置は、フレーム内符号化ピクチャ、順方向予測符号化ピクチャ及び両方向予測符号化ピクチャからなる映像信号を記録媒体へ記録する画像記録装置であって、記録終了を指示する指示手段と、前記映像信号を記録媒体に記録すると共に、前記記録終了の指示を受けると、特定フレームを圧縮符号化ストリームの表示順の最終フレームとして前記映像信号の記録を終了する記録手段とを有し、前記特定フレームは、フィールドパリティ及び冗長フィールドの有無を基に決定されることを特徴とする。
【手続補正６】
【補正対象書類名】明細書
【補正対象項目名】００１４
【補正方法】変更
【補正の内容】
【００１４】
また、本発明の画像記録装置は、フレーム内符号化、順方向予測符号化、及び両方予測符号化によって符号化されたフレームからなる映像信号であって、３０フレーム／秒のインターレース形式の第１の映像信号、３０フレーム／秒のプログレッシブ形式の第２の映像信号、及び、２４フレーム／秒のプログレッシブ形式の映像信号を２−３プルダウン処理した第３の映像信号の何れかを入力する手段と、前記入力された第１、第２、第３の映像信号の各フレームが、トップフィールドを先に表示するトップフィールドファーストのフレームであるか否かを検出すると共に、前記入力された第３の映像信号の各フレームが冗長フィールドありのフレームであるか否かを検出する冗長フィールド検出手段と、記録開始の指示を受けると、前記冗長フィールド検出手段の出力に基づいて決定した特定フレームを表示順の先頭フレームとして前記入力された映像信号を記録媒体に記録する記録手段とを有し、前記記録手段は、前記第１の映像信号または第２の映像信号を記録する場合にはトップフィールドファーストのフレームを前記特定フレームとし、前記第３の映像信号を記録する場合にはトップフィールドファーストであり、且つ冗長フィールドありのフレームを前記特定フレームとすることを特徴とする。
【手続補正７】
【補正対象書類名】明細書
【補正対象項目名】００１５
【補正方法】変更
【補正の内容】
【００１５】
また、本発明の画像記録装置は、フレーム内符号化、順方向予測符号化、及び両方予測符号化によって符号化されたフレームからなる映像信号であって、３０フレーム／秒のインターレース形式の第１の映像信号、３０フレーム／秒のプログレッシブ形式の第２の映像信号、及び、２４フレーム／秒のプログレッシブ形式の映像信号を２−３プルダウン処理した第３の映像信号の何れかを入力する手段と、前記入力された第１、第２、第３の映像信号の各フレームが、トップフィールドを先に表示するトップフィールドファーストのフレームであるか否かを検出すると共に、前記入力された第３の映像信号の各フレームが冗長フィールドありのフレームであるか否かを検出する冗長フィールド検出手段と、前記入力された映像信号を記録媒体に記録すると共に、記録停止の指示を受けると、前記冗長フィールド検出手段の出力に基づいて決定した特定フレームを表示順の最終フレームとして前記映像信号の記録を終了する記録手段とを有し、前記記録手段は、前記第１の映像信号または第２の映像信号を記録する場合にはトップフィールドファーストのフレームを前記特定フレームとし、前記第３の映像信号を記録する場合にはトップフィールドファーストであり、且つ冗長フィールド無しのフレームを前記特定フレームとすることを特徴とする。
また、本発明の画像記録装置は、フレーム内符号化、順方向予測符号化、及び両方予測符号化によって符号化されたフレームからなる映像信号であって、３０フレーム／秒のインターレース形式の第１の映像信号、３０フレーム／秒のプログレッシブ形式の第２の映像信号、及び、２４フレーム／秒のプログレッシブ形式の映像信号を２−３プルダウン処理した第３の映像信号の何れかを入力する手段と、前記入力された第１、第２、第３の映像信号の各フレームが、トップフィールドを先に表示するトップフィールドファーストのフレームであるか否かを検出すると共に、前記入力された第３の映像信号の各フレームが冗長フィールドありのフレームであるか否かを検出する冗長フィールド検出手段と、記録開始の指示を受けると、前記冗長フィールド検出手段の出力に基づいて決定した特定フレームを表示順の先頭フレームとして前記入力された映像信号を記録媒体に記録する記録手段とを有し、前記記録手段は、前記第１の映像信号または第２の映像信号を記録する場合にはトップフィールドファーストでないフレームを前記特定フレームとし、前記第３の映像信号を記録する場合にはトップフィールドファーストでなく、且つ冗長フィールドありのフレームを前記特定フレームとすることを特徴とする。
また、本発明の画像記録装置は、フレーム内符号化、順方向予測符号化、及び両方予測符号化によって符号化されたフレームからなる映像信号であって、３０フレーム／秒のインターレース形式の第１の映像信号、３０フレーム／秒のプログレッシブ形式の第２の映像信号、及び、２４フレーム／秒のプログレッシブ形式の映像信号を２−３プルダウン処理した第３の映像信号の何れかを入力する手段と、前記入力された第１、第２、第３の映像信号の各フレームが、トップフィールドを先に表示するトップフィールドファーストのフレームであるか否かを検出すると共に、前記入力された第３の映像信号の各フレームが冗長フィールドありのフレームであるか否かを検出する冗長フィールド検出手段と、前記入力された映像信号を記録媒体に記録すると共に、記録停止の指示を受けると、前記冗長フィールド検出手段の出力に基づいて決定した特定フレームを表示順の最終フレームとして前記映像信号の記録を終了する記録手段とを有し、前記記録手段は、前記第１の映像信号または第２の映像信号を記録する場合にはトップフィールドファーストでないフレームを前記特定フレームとし、前記第３の映像信号を記録する場合にはトップフィールドファーストでなく、且つ冗長フィールド無しのフレームを前記特定フレームとすることを特徴とする。